(57)【要約】【課題】あらかじめ坐薬を装着した外筒に、内筒をセット線まで挿入した坐薬挿入補助具を肛門に挿入し、内筒を押圧することで坐薬を肛門内部に容易に確実にさらに安全に挿入できることを目的とする。【解決手段】坐薬挿入補助具は外筒１と内筒５から成り、外筒１の先端部は複数の舌片状の切込み２によりドーム型に形成され、かつその外筒１に肛門１０と当接するよう摺動可能なストッパー３とそのストッパー３の位置を示す複数の目安線４を有し、内筒５はその先端側に坐薬９との押接面６を、また適宜位置に坐薬９を外筒内に装填した後内筒５の挿入位置を測るセット線８を設け、後端部には肛門１０への坐薬９の挿入を円滑にするための円形の指圧面７を有する。【選択図】図１
2014057814.tif 000002
【特許請求の範囲】
【請求項１】
外筒と内筒からなり、前記外筒に装着される坐薬を、内筒を押し込むことによって注入する坐薬挿入補助具において、前記外筒の先端部の注入口は複数の切り込みをもつ舌片によりドーム型に形成され、かつその外筒の適宜位置に肛門と当接する摺動可能なストッパーを有し、前記内筒はその先端側に坐薬との押接面を、また適宜位置に坐薬を外筒内に装填する際に内筒の挿入位置を測るセット線を設け、後端部には肛門への坐薬挿入を円滑にする為の円形の指圧面を有することを特徴とする坐薬挿入補助具。
【請求項２】
前記外筒に設けられる摺動可能なストッパーをロート状に形成し、かつ複数の目安線を設けることを特徴にする請求項１記載の坐薬挿入補助具。
【発明の詳細な説明】
【技術分野】
【０００１】  本発明は、坐薬を肛門に挿入する坐薬挿入補助器具に関するものである。
【背景技術】
【０００２】  坐薬は解熱剤、痙攣止め、嘔吐止めなどの薬効を持ち、小児、高齢者、障害者や内服が困難な患者にとって非常に有用な剤形であるが、その性質上体温で容易に溶ける素材でできており、さらに肛門内部にある程度深く挿入する必要があり不慣れな使用者にとっては困難な操作を強いられるものである。
また病院や介護施設などで多数の患者に使用する場合、指で奥深く挿入することは細菌やウイルスの感染など衛生の問題がある。
このような問題を解決するために挿入補助の器具を使用することは患者に負担をかけない非常に有効な手段であり、筒状体に装填した坐薬を肛門に挿入する技術は、実開平７−９３５９号公報（例えば特許文献１参照）、実用新案登録第３１１８２３０号公報（例えば特許文献２参照）が提案されている。特許文献１及び２に開示された技術はいずれも外筒部先端に坐薬の肛門挿入前の抜け出しを防止のための特別な装置があり、プランジャーで押し広げることで坐薬を肛門内部に挿入するものである。
【先行技術文献】
【特許文献】
【０００３】
【特許文献１】特開平７−９３５９号公報
【０００４】
【特許文献２】実用新案登録第３１１８２３０号公報
【発明の概要】
【発明が解決しようとする課題】
【０００５】  最近坐薬はいろいろな薬効をもち幅広い年齢層に使用されるようになったが、その性質上体温で容易に溶ける素材で出来ており、指で使用する際滑りやすく、また冷所で保存されたものは滑りにくく挿入しにくい。さらに肛門内部にある程度深く挿入せずに肛門部分に留まってしまうと出てきてしまうなど確実に挿入して効果を得るのに困難な場合があった。また医療機関や施設での使用に際しては細菌やウイルスの感染が問題となっている。坐薬挿入補助具を使用することは直接指を肛門内に挿入する必要が無くなり感染の危険性をかなり軽減できるものである。【０００６】  従来の坐薬注入器（特許文献１）および坐薬挿入器（特許文献２）はいずれもあらかじめ装填した坐薬をプランジャーで押し出す際に外筒先端につけられた坐薬抜け止め装置を押し広げるため指先の力が必要とされる。坐薬の大きさは乳幼児用から大人用まで大小あり、１／２個、１／３個などの分割使用も乳幼児にはよくなされるが、両器具ともプランジャーの先端面積が小さく、安定して挿入することに問題があった。【０００７】  また外筒挿入位置決め手段が設けられていない為挿入しすぎでの直腸内粘膜への擦傷や痛みを引き起こす恐れがある。さらに坐薬を患者自らが使用する場合、筒状体の適切な挿入部分が可視できないという観点ではさらに危険度は大きくなり易かった。【０００８】  さらにいずれも構造が複雑でディスポーザブルという観点からも実用化に問題があった。【０００９】  本発明の坐薬挿入補助具はストッパーを有する外筒内に前もって坐薬を装填し、内筒をセット線まで押し込んだ坐薬挿入補助具を肛門内へストッパーまで挿入し、さらに内筒を後端部まで押し込むことで坐薬を肛門内部に容易に確実にさらに安全に挿入することを目的としたものである。また構造を簡単にすることで製品化を容易にするものである。
【課題を解決するための手段】
【００１０】  本発明にかかる坐薬挿入補助具は外筒と内筒からなり、外筒に装着される坐薬を内筒を押し込むことで肛門内に挿入するもので、外筒の先端部は複数の舌片状の切り込みによりドーム型に形成され、かつその外筒の適宜位置に肛門と当接する摺動可能なストッパーを有し、内筒はその先端側に坐薬との押接面を、また適宜位置に坐薬を外筒内に装填する際に内筒の挿入位置を測るセット線を設け、後端部には肛門への坐薬の挿入を円滑にするための円形の指圧面を有することを特徴とするものである。【００１１】  さらに、前記外筒に設けられる摺動可能なストッパーはロート状に形成し、かつ複数の目安線を設けることを特徴とするものである。
【発明の効果】
【００１２】  上述したように本発明の坐薬挿入補助具は、ストッパーを有する外筒内に前もって坐薬を装着し内筒をセット線まで押し込んだ坐薬挿入補助具を肛門内へストッパーまで挿入し、内筒を押し込むことで、全くの初使用者、高齢者などでも特別の技術を必要とせず坐薬を容易に使用出来て、肛門内部に確実にさらに安全に挿入することができる。【００１３】  外筒の先端部分は、舌状に切り込みを入れドーム型に閉じることで坐薬充填時に先端から不用意に抜け出すことを防ぎ、挿入時に内筒を押すことで容易に開くことができる。【００１４】  また外筒に浅いロート状のストッパーをつけることによって、肛門内への挿入位置を確実にする。またこのストッパーを可動式にして目安線を設けることで年齢にあった挿入位置を示すことを可能にすることができる。【００１５】  内筒は外筒より径がわずかに小さく、外筒内を安定的にまた大きな抵抗なく摺動し、内筒先端は平らに閉じられていて坐薬との接触面を大きくすることで坐薬の大小にかかわらず確実に坐薬を肛門内に押し出すことができ、乳幼児への１／２個、１／３個などの使用も可能にすることができる。【００１６】  使用時はあらかじめ坐薬を外筒に装填した後、内筒をセット線まで入れ、挿入補助具全体を外筒のストッパーまで肛門に挿入し、内筒を端まで押し入れることで先端が開き、坐薬を肛門内に抵抗感なく挿入することができる。【００１７】  内筒の後端には外筒の径より大きい円形の指圧面を付け、指先の小さな力で押しやすくすることができる。【００１８】  構造を簡単にすることで容易に製造することができ、また素材は紙またはプラスチック等で単一なものを使用し、廃棄を簡単にすることができる。
【図面の簡単な説明】
【００１９】
【図１】  本発明に係る坐薬挿入補助具の坐薬セット時の説明図。
【図２】  外筒を示す側面図。
【図３】  内筒を示す側面図。
【図４】  使用状態の説明図。
【発明を実施するための形態】
【００２０】  本発明に係る坐薬挿入補助具は、外筒１とこの外筒１に摺動可能に装着される内筒５とにより形成され、前記外筒１は図２に示すように、その先端部の注入口に複数の切れ込み２を形成し、かつその外周面の適宜位置に挿入時肛門１０と当接する摺動可能なストッパー３を設け、このストッパー３付近にはその挿入位置を示すための目安線４を複数設けている。
【００２１】  前記外筒１に装着される内筒５は図３に示すように、その先端側に円形平坦状の押接面６を有し、外筒１内に装着される坐薬９と押接している。またその適宜位置には内筒５を外筒１内に装填する際にその挿入位置を正確に測るセット線８を設け、後端部には坐薬９を肛門１０へ円滑に挿入するため円形状の指圧面７を設けている。
【００２２】  使用状態を図１に基づいて説明すると、図１に示すように先ず外筒１のストッパー３を複数の目安線４の中で年齢に応じたものを選択して合わせる。
次に外筒１内に必要量の坐薬９を装填し、坐薬を装填した外筒１に内筒５をセット線８まで挿入する。
この状態で坐薬挿入補助具を肛門１０にストッパー３が接するまで挿入する。
ここで内筒５の指圧面７を指でゆっくり押し込んでいくことで、肛門１０内の外筒１の先端の切込み２が開き、坐薬９を直腸１１内に押し出す。
図４で示すように、内筒５全体を外筒１内に押し込んだ後、坐薬９の抜けた坐薬挿入補助具を肛門１０よりそっと引き抜く。
【符号の説明】
【００２３】１：外筒
２：外筒先端部の切り込み
３：外筒のストッパー
４：目安線
５：内筒
６：内筒の押接面
７：内筒の指圧面
８：セット線
９：坐薬
１０：肛門
１１：直腸
【図１】
2014057814.tif 000003
【図２】
2014057814.tif 000004
【図３】
2014057814.tif 000005
【図４】
2014057814.tif 000006